(57)【要約】【課題】光通信ネットワークにおいて、統計的共有により統計的容量を増大させると共に帯域幅要件を低減する方法を提供する。【解決手段】方法は、光ノードの複数のクライアントインターフェイスカード（ＣＩＣ）それぞれごとに、ピーク送信レート及びベース送信レートを識別するステップと、複数のＣＩＣのうちの特定のＣＩＣのために、複数のユニバーサルトランシーバのうちのユニバーサルトランシーバの組を提供し、これにより、ユニバーサルトランシーバの組の組み合わせられた帯域幅が、特定のＣＩＣのベース送信レート以上となるようにするステップと、特定のＣＩＣの送信レートが特定のＣＩＣのベース送信レートを超過した際に、特定のＣＩＣのために、複数のユニバーサルトランシーバのうちの１つ又は複数の共有ユニバーサルトランシーバを予約するステップを含む。【選択図】図２
2014078933.tif 000002
【特許請求の範囲】
【請求項１】
光通信ネットワークにおける統計的共有の方法であって、
光ノードの複数のクライアントインターフェイスカードのそれぞれごとに、ピーク送信レート及びベース送信レートを識別するステップと、
前記複数のクライアントインターフェイスカードのうちの特定のクライアントインターフェイスカードのために、複数のユニバーサルトランシーバのうちのユニバーサルトランシーバの組を提供し、これにより、前記ユニバーサルトランシーバの組の組み合わせられた帯域幅が、前記特定のクライアントインターフェイスカードの前記ベース送信レート以上になるようにするステップと、
前記特定のクライアントインターフェイスカードの送信レートが前記特定のクライアントインタフェイスカードの前記ベース送信レートを超過した際に、前記特定のクライアントインターフェイスカードのために、前記複数のユニバーサルトランシーバのうちの１つ又は複数の共有ユニバーサルトランシーバを予約するステップと、
を有する方法。
【請求項２】
前記特定のクライアントインターフェイスカードの送信レートが前記特定のクライアントインターフェイスカードの前記ベース送信レート以下である際に、前記特定のクライアントインターフェイスカードのために予約された前記１つ又は複数の共有ユニバーサルトランシーバを解放するステップを更に有する請求項１に記載の方法。
【請求項３】
前記ピーク送信レートにおいて同時に送信するように許容されている前記複数のクライアントインターフェイスカードのうちのクライアントインターフェイスカードの数（Ｎ）を識別するステップと、
前記複数のクライアントインターフェイスカードのうちのそれぞれのクライアントインターフェイスカードの前記ベース送信レート及び前記複数のクライアントインターフェイスカードのうちのＮ個のクライアントインターフェイスカードの前記ピーク送信レートに少なくとも基づいて、前記光ノードの帯域幅容量を判定するステップと、
を更に有する請求項１に記載の方法。
【請求項４】
前記帯域幅容量を判定する前記ステップは、
前記Ｎ個の最高ピーク送信レートを有する、前記複数のクライアントインターフェイスカードのうちのクライアントインターフェイスカードの組を識別するステップと、
前記複数のクライアントインターフェイスカードのうちの残りのクライアントインターフェイスカードのそれぞれごとに、ベース送信レートを識別するステップと、
前記帯域幅容量を算出するステップであって、前記帯域幅容量は、前記Ｎ個の最高ピーク送信レートの合計と前記残りのクライアントインターフェイスカードのうちのそれぞれのクライアントインターフェイスカードの前記ベース送信レートの合計を加算したものに等しい、ステップと、
を有する請求項３に記載の方法。
【請求項５】
前記複数のユニバーサルトランシーバのうちのそれぞれのユニバーサルトランシーバは、特定の帯域幅を有するように構成されている請求項１に記載の方法。
【請求項６】
光通信ネットワークであって、
クロスコネクトスイッチと、
前記クロスコネクトスイッチに通信自在に結合された複数のユニバーサルトランシーバと、
前記複数のユニバーサルトランシーバに通信自在に結合されたスイッチングモジュールと、
前記クロスコネクトスイッチ及び前記スイッチングモジュールに通信自在に結合されたコントローラと、
を有し、
前記コントローラは、
光ノードの複数のクライアントインターフェイスカードのそれぞれごとに、ピーク送信レート及びベース送信レートを識別し、
前記複数のクライアントインターフェイスカードのうちの特定のクライアントインターフェイスカードのために、複数のユニバーサルトランシーバのうちのユニバーサルトランシーバの組を提供し、これにより、前記ユニバーサルトランシーバの組の組み合わせられた帯域幅が、前記特定のクライアントインターフェイスカードの前記ベース送信レート以上になるようにし、且つ、
前記特定のクライアントインターフェイスカードの送信レートが前記特定のクライアントインターフェイスカードの前記ベース送信レートを超過した際に、前記特定のクライアントインターフェイスカードのために、前記複数のユニバーサルトランシーバのうちの１つ又は複数の共有ユニバーサルトランシーバを予約するように、
構成されている、光通信ネットワーク。
【請求項７】
前記コントローラは、前記特定のクライアントインターフェイスカードの送信レートが前記特定のクライアントインターフェイスの前記ベース送信レート以下である際に、前記特定のクライアントインターフェイスカードのために予約された前記１つ又は複数の共有ユニバーサルトランシーバを解放するように更に構成されている請求項６に記載の光通信ネットワーク。
【請求項８】
前記コントローラは、
前記ピーク送信レートにおいて同時に送信するように許容されている前記複数のクライアントインターフェイスカードのうちのクライアントインターフェイスカードの数（Ｎ）を識別し、且つ、
前記複数のクライアントインターフェイスカードのうちのそれぞれのクライアントインターフェイスカードの前記ベース送信レート及び前記複数のクライアントインターフェイスカードのうちのＮ個のクライアントインターフェイスカードの前記ピーク送信レートに少なくとも基づいて、前記光ノードの帯域幅容量を判定するように、
更に構成されている請求項６に記載の光通信ネットワーク。
【請求項９】
前記帯域幅容量を判定する前記ステップは、
前記Ｎ個の最高ピーク送信レートを有する、前記複数のクライアントインターフェイスカードのうちのクライアントインターフェイスカードの組を識別するステップと、
前記複数のクライアントインターフェイスカードのうちの残りのクライアントインターフェイスカードのそれぞれごとに、ベース送信レートを識別するステップと、
前記帯域幅容量を算出するステップであって、前記帯域幅容量は、前記Ｎ個の最高ピーク送信レートの合計と前記残りのクライアントインターフェイスカードのうちのそれぞれのクライアントインターフェイスカードの前記ベース送信レートの合計を加算したものに等しい、ステップと、
を有する請求項８に記載の光通信ネットワーク。
【請求項１０】
スイッチングモジュールは、ＲＯＡＤＭスイッチである請求項６に記載の光通信ネットワーク。
【請求項１１】
前記複数のユニバーサルトランシーバのうちのそれぞれのユニバーサルトランシーバは、特定の帯域幅を有するように構成されている請求項６に記載の光通信ネットワーク。
【請求項１２】
符号化されたコンピュータ実行可能命令をその内部に含む一時的ではないコンピュータ可読媒体であって、前記命令は、前記プロセッサによって実行された際に、
光ノードの複数のクライアントインターフェイスカードのそれぞれごとに、ピーク送信レート及びベース送信レートを識別するステップと、
前記複数のクライアントインターフェイスカードのうちの特定のクライアントインターフェイスカードのために、複数のユニバーサルトランシーバのうちのユニバーサルトランシーバの組を提供し、これにより、前記ユニバーサルトランシーバの組の組み合わせられた帯域幅が、前記特定のクライアントインターフェイスカードの前記ベース送信レート以上になるようにするステップと、
前記特定のクライアントインターフェイスカードの送信レートが前記特定のクライアントインターフェイスカードの前記ベース送信レートを超過した際に、前記特定のクライアントインターフェイスカードのために、前記複数のユニバーサルトランシーバのうちの１つ又は複数の共有ユニバーサルトランシーバを予約するステップと、
を有する動作を実行するように動作可能である、コンピュータ可読媒体。
【請求項１３】
前記コンピュータ実行可能命令は、前記プロセッサによって実行された際に、前記特定のクライアントインターフェイスカードの送信レートが前記特定のクライアントインターフェイスカードの前記ベース送信レート以下である際に、前記特定のクライアントインターフェイスカードのために予約された前記１つ又は複数の共有ユニバーサルトランシーバを解放するステップを有する動作を実行するように更に動作可能である請求項１２に記載のコンピュータ可読媒体。
【請求項１４】
前記コンピュータ実行可能命令は、前記プロセッサによって実行された際に、
前記ピーク送信レートにおいて同時に送信するように許容されている前記複数のクライアントインターフェイスカードのうちのクライアントインターフェイスカードの数（Ｎ）を識別するステップと、
前記複数のクライアントインターフェイスカードのうちのそれぞれのクライアントインターフェイスカードの前記ベース送信レート及び前記複数のクライアントインターフェイスカードうちのＮ個のクライアントインターフェイスカードの前記ピーク送信レートに少なくとも基づいて、前記光ノードの帯域幅容量を判定するステップと、
を有する動作を実行するように更に動作可能である請求項１２に記載のコンピュータ可読媒体。
【請求項１５】
前記帯域幅容量を判定する前記ステップは、
前記Ｎ個の最高ピーク送信レートを有する、前記複数のクライアントインターフェイスカードのうちのクライアントインターフェイスカードの組を識別するステップと、
前記複数のクライアントインターフェイスカードのうちの残りのクライアントインターフェイスカードのそれぞれごとに、ベース送信レートを識別するステップと、
前記帯域幅容量を算出するステップであって、前記帯域幅容量は、前記Ｎ個の最高ピーク送信レートの合計と前記残りのクライアントインターフェイスカードのうちのそれぞれのクライアントインターフェイスカードの前記ベース送信レートの合計を加算したものに等しい、ステップと、
を有する請求項１４に記載のコンピュータ可読媒体。
【請求項１６】
前記複数のユニバーサルトランシーバのうちのそれぞれのユニバーサルトランシーバは、特定の帯域幅を有するように構成されている請求項１２に記載のコンピュータ可読媒体。
【発明の詳細な説明】
【技術分野】
【０００１】
関係する出願
本出願は、２０１２年１０月８日付けで出願された「Ｓｙｓｔｅｍｓ  ａｎｄ  Ｍｅｔｈｏｄｓ  ｆｏｒ  Ｓｔａｔｉｓｔｉｃａｌ  Ｍｕｌｔｉｐｌｅｘｉｎｇ  ｉｎ  Ｃｉｒｃｕｉｔ  Ｓｗｉｔｃｈｉｎｇ  ＷＤＭ  Ｏｐｔｉｃａｌ  Ｎｅｔｗｏｒｋｓ」という名称の米国仮特許出願第６１/７１１，０８８号の米国特許法第１１９条（ｅ）の下における利益を主張するものであり、この内容は、引用により、そのすべてが本明細書に包含される。
【０００２】
本開示は、一般に、通信ネットワークに関し、且つ、更に詳しくは、回線交換光通信ネットワークにおける統計的共有に関する。
【背景技術】
【０００３】
通信システム、ケーブルテレビシステム、及びデータ通信ネットワークは、光ネットワークを使用し、遠隔地の間において大量の情報を迅速に伝達する。光ネットワークにおいては、情報を光ファイバを通じて光信号の形態で伝達してもよい。光ファイバは、非常に低損失で長距離にわたって信号を伝達する能力を有する細いガラスのストランドを含んでもよい。光通信ネットワークは、データ信号が入口から出口ノードまで伝播することができるように光クロスコネクト回路を調節することにより、入口から出口ノードまで回線を確立するように構成してもよい。光通信ネットワークは、ＷＤＭ（Ｗａｖｅｌｅｎｇｔｈ−Ｄｉｖｉｓｉｏｎ  Ｍｕｌｔｉｐｌｅｘｉｎｇ）を利用してもよく、ＷＤＭは、異なる光の波長を使用することによっていくつかの光搬送波信号を単一の光ファイバ上に多重化する技術である。この技法により、１本のファイバストランド上における双方向通信と、容量の増大と、が可能になる。
【先行技術文献】
【非特許文献】
【０００４】
【非特許文献１】Ｂｅｒｔｓｉｍａｓ  ｅｔ  ａｌ．，  ″Ｒｏｂｕｓｔ  ｄｉｓｃｒｅｔｅ  ｏｐｔｉｍｉｚａｔｉｏｎ  ａｎｄ  ｎｅｔｗｏｒｋ  ｆｌｏｗｓ″，  Ｍａｔｈ．  Ｐｒｏｇｒａｍ．  Ｓｅｒ．  Ｂ，  Ｖｏｌ  ９８，  Ｐｇｓ．  ４９−７１
【非特許文献２】Ｗａｎｇ  ｅｔ  ａｌ，  ″Ｓｕｐｐｏｒｔ  Ｓｔａｔｉｓｔｉｃａｌ  Ｓｈａｒｉｎｇ  ｉｎ  Ｃｉｒｃｕｉｔ  Ｓｗｉｔｃｈｉｎｇ  ＷＤＭ  Ｏｐｔｉｃａｌ  Ｎｅｔｗｏｒｋｓ″，  Ｏｐｔｉｃａｌ  Ｆｉｂｅｒ  Ｃｏｍｍｕｎｉｃａｔｉｏｎ  Ｃｏｎｆｅｒｅｎｃｅ  ２０１３，  Ｐｇｓ．  ３
【非特許文献３】Ａｏｋｉ  ｅｔ  ａｌ．，  ″Ｄｙｎａｍｉｃ  ａｎｄ  Ｆｌｅｘｉｂｌｅ  Ｐｈｏｔｏｎｉｃ  Ｎｏｄｅ  Ａｒｃｈｉｔｅｃｔｕｒｅ  ｗｉｔｈ  Ｓｈａｒｅｄ  Ｕｎｉｖｅｒｓａｌ  Ｔｒａｎｓｃｅｉｖｅｒｓ  Ｓｕｐｐｏｒｔｉｎｇ  Ｈｉｔｌｅｓｓ  Ｄｅｆｒａｇｍｅｎｔａｔｉｏｎ″，  ＥＣＯＣ  ２０１２，  Ｐｇｓ．３
【発明の概要】
【課題を解決するための手段】
【０００５】
一実施形態においては、光通信ネットワークにおける統計的共有の方法が開示される。この方法は、光ノードの複数のクライアントインターフェイスカードのそれぞれごとに、ピーク送信レート及びベース送信レートを識別するステップを有してもよい。又、方法は、複数のクライアントインターフェイスカードのうちの特定のクライアントインターフェイスカード用に複数のユニバーサルトランシーバのうちのユニバーサルトランシーバの組を提供し、これにより、ユニバーサルトランシーバの組の組み合わせられた帯域幅が特定のクライアントインターフェイスカードのベース送信レート以上になるようにするステップをも含む。方法は、特定のクライアントインターフェイスカードの送信レートがその特定のクライアントインターフェイスカードのベース送信レートを超過した際に、その特定のクライアントインターフェイスカード用に複数のユニバーサルトランシーバのうちの１つ又は複数の共有ユニバーサルトランシーバを予約するステップを更に含む。
【０００６】
別の実施形態においては、光通信ネットワークが開示される。この光通信ネットワークは、クロスコネクトスイッチと、クロスコネクトスイッチに通信自在に結合された複数のユニバーサルトランシーバと、複数のユニバーサルトランシーバに通信自在に結合されたスイッチングモジュールと、クロスコネクトスイッチ及びスイッチングモジュールに通信自在に結合されたコントローラと、を含む。コントローラは、光ノードの複数のクライアントインターフェイスカードのそれぞれごとに、ピーク送信レート及びベース送信レートを識別するように構成されている。又、コントローラは、複数のクライアントインターフェイスカードのうちの特定のクライアントインターフェイスカード用に複数のユニバーサルトランシーバのうちのユニバーサルトランシーバの組を提供し、これにより、ユニバーサルトランシーバの組の組み合わせられた帯域幅が特定のクライアントインターフェイスカードのベース送信レート以上になるようにするべく構成されている。コントローラは、特定のクライアントインターフェイスカードの送信レートがその特定のクライアントインターフェイスカードのベース送信レートを超過した際に、その特定のクライアントインターフェイスカード用に複数のユニバーサルトランシーバのうちの１つ又は複数の共有ユニバーサルトランシーバを予約するように更に構成されている。
【０００７】
更に別の実施形態においては、符号化されたコンピュータ実行可能命令をその内部に含む一時的ではないコンピュータ可読媒体が開示される。命令は、プロセッサによって実行された際に、光ノードの複数のクライアントインターフェイスカードのそれぞれごとに、ピーク送信レート及びベース送信レートを識別するステップを含む動作を実行するように動作可能である。命令は、プロセッサによって実行された際に、複数のクライアントインターフェイスカードのうちの特定のクライアントインターフェイスカード用に複数のユニバーサルトランシーバのうちのユニバーサルトランシーバの組を提供し、これにより、ユニバーサルトランシーバの組の組み合わせられた帯域幅が特定のクライアントインターフェイスカードのベース送信レート以上になるようにするステップを含む動作を実行するように更に動作可能である。命令は、プロセッサによって実行された際に、特定のクライアントインターフェイスカードの送信レートがその特定のクライアントインターフェイスカードのベース送信レートを超過した際に、その特定のクライアントインターフェイスカード用に複数のユニバーサルトランシーバのうちの１つ又は複数の共有ユニバーサルトランシーバを予約するステップを含む動作を実行するように更に動作可能である。
【０００８】
開示されている実施形態及びその利点については、同一の参照符号によって同一の特徴を示す添付図面との関連において以下の説明を参照することにより、更に十分に理解することができよう。
【図面の簡単な説明】
【０００９】
【図１】本開示の一実施形態による例示用の光通信ネットワークの図である。
【図２】本開示の一実施形態による例示用の光ノードの図である。
【図３Ａ】それぞれのクライアントシステムのピーク送信レートに対応するのに十分な帯域幅を提供するように構成された例示用の光通信ネットワークの帯域幅要件を示す。
【図３Ｂ】本開示の一実施形態によるクライアントシステムの一部のみがそのピークデータ送信レートにおいて同時に送信することを許容するように構成された光通信ネットワークの帯域幅要件を示す。
【図４】本開示の一実施形態による光通信ネットワークにおける統計的共有の例示用の方法のフローチャートである。
【発明を実施するための形態】
【００１０】
特定の実施形態及びその利点については、同一の符号を使用して同一の及び対応する部分を示す図１〜４を参照することにより、十分に理解することができよう。
【００１１】
光通信ネットワークは、それぞれが固定容量を有する複数の光回線を含む回線交換ネットワークであってよい。例えば、固定グリッドの光ネットワークにおいては、光回線は、固定容量（例えば、１０、４０、又は１００Ｇｂｐｓ）を有するエンドツーエンドの波長光路（ｗａｖｅｌｅｎｇｔｈ  ｌｉｇｈｔ−ｐａｔｈ）として提供してもよい。柔軟なグリッドの光ネットワークにおいては、光回線は、それぞれが固定容量を有する固定数のスペクトルスロットから構成してもよい。それぞれの光回線の容量が固定されているため、それぞれの光回線に提供される帯域幅は、ピーク帯域幅が常に使用されるわけではないにも拘わらず、その回線の予想ピーク帯域幅に基づいてサイズ設定しなければならない。本開示は、統計的共有により、光通信ネットワークにおいて、統計的容量を増大させると共に／又は、帯域幅要件を低減する方法及びシステムについて記述している。
【００１２】
図１は、本開示の一実施形態による例示用の光通信ネットワーク１００のブロックダイアグラムである。特定の実施形態においては、ネットワーク１００は、共有メッシュネットワークであってもよい。ネットワーク１００は、複数のネットワーク要素１０２を含んでもよく、これらのネットワーク要素１０２のそれぞれは、光ノードであってもよい。ノード１０２は、ノード１０２によって伝達される１つ又は複数の信号を搬送するように動作可能な１つ又は複数の送信媒体１２を介して通信自在に結合してもよい。
【００１３】
いくつかの実施形態においては、それぞれのノード１０２は、トラフィックを直接的に１つ又は複数のその他のノード１０２に送信すると共にトラフィックを直接的に１つ又は複数のその他のノード１０２から受信するように動作可能であってもよい。例えば、図示のネットワーク１００においては、それぞれのノード１０２を１つ又は複数のその他のノード１０２に結合してメッシュを生成している。但し、ネットワーク１００は、任意の適切な構成で配列された任意の適切な数のノード１０２を含んでもよい。例えば、ネットワーク１００は、メッシュネットワークとして示されているが、ネットワーク１００は、リングネットワーク、ポイントツーポイントネットワーク、又は任意のその他の適切なネットワーク、或いは、ネットワークの組合せとして構成してもよい。更には、ネットワーク１００は、短距離の都市ネットワーク、長距離の都市間ネットワーク、又は任意のその他の適切なネットワーク、或いは、ネットワークの組合せにおいて使用してもよい。ネットワーク１００は、短距離の都市ネットワーク、長距離の都市間ネットワーク、及び／又は任意のその他の適切なネットワーク、或いは、ネットワークの組合せのすべて又は一部分を表してもよい。
【００１４】
ネットワーク１００内のそれぞれのノード１０２は、トラフィックを送受信するように動作可能な任意のシステム、装置、又は機器を含んでもよい。例えば、それぞれのノード１０２は、命令を実行すると共にデータを操作して動作を実行するように動作可能なロジック（例えば、ハードウェア、ソフトウェア、又はハードウェアとソフトウェアの組合せ）を含んでもよい。このようなロジックは、例えば、プロセッサ、マイクロプロセッサ、ＦＰＧＡ（Ｆｉｅｌｄ−Ｐｒｏｇｒａｍｍａｂｌｅ  Ｇａｔｅ  Ａｒｒａｙ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を含んでもよい。又、ノード１０２は、トラフィックを送信及び／又は受信するように動作可能なインターフェイスと、情報を保存すると共にその検索を促進するように動作可能なメモリと、を含んでもよい。メモリは、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、磁気ドライブ、ディスクドライブ、ＣＤ（Ｃｏｍｐａｃｔ  Ｄｉｓｋ）ドライブ、ＤＶＤ（Ｄｉｇｉｔａｌ  Ｖｉｄｅｏ  Ｄｉｓｋ）ドライブ、着脱自在の媒体ストレージ、任意のその他の適切なデータストレージ媒体、又は以上のもののいずれかの任意の組合せ、並びに／或いは、任意のその他の適切なコンポーネントを含んでもよい。
【００１５】
それぞれの送信媒体１２は、ノード１０２を通信自在に互いに結合するように構成された任意のシステム、装置、又は機器を含んでもよい。例えば、送信媒体１２は、光ファイバ、Ｅｔｈｅｒｎｅｔ（登録商標）ケーブル、Ｔ１ケーブル、銅線、ＷｉＦｉ信号、Ｂｌｕｅｔｏｏｔｈ（登録商標）信号、又は任意のその他の適切な媒体を含んでもよい。本開示のいくつかの実施形態においては、送信媒体１２は、非常に低い損失で長距離にわたって信号を伝達する能力を有する細いガラスストランドから構成された光ファイバを含んでもよい。光ファイバは、ＳＭＦ（Ｓｉｎｇｌｅ−Ｍｏｄｅ  Ｆｉｂｅｒ）、ＥＬＥＡＦ（Ｅｎｈａｎｃｅｄ  Ｌａｒｇｅ  Ｅｆｆｅｃｔｉｖｅ  Ａｒｅａ  Ｆｉｂｅｒ）、又はＴＷ−ＲＳ（ＴｒｕｅＷａｖｅ（登録商標）  Ｒｅｄｕｃｅｄ  Ｓｌｏｐｅ）ファイバなどの任意の適切なタイプのファイバを含んでもよい。
【００１６】
ネットワーク１００は、送信媒体１２上において情報又は「トラフィック」を伝達してもよい。トラフィックは、ネットワーク１００内において送信、保存、又はソートされる情報を含んでもよい。このようなトラフィックは、オーディオ、ビデオ、テキスト、及び／又は任意のその他の適切なデータを符号化するように構成された光又は電気信号を有してもよい。データは、リアルタイム又は非リアルタイムであってよい。トラフィックは、限定を伴うことなしに、ＯＳＩ（Ｏｐｅｎ  Ｓｙｓｔｅｍｓ  Ｉｎｔｅｒｃｏｎｎｅｃｔｉｏｎ）規格及びＩＰ（Ｉｎｔｅｒｎｅｔ  Ｐｒｏｔｏｃｏｌ）を含む任意の適切な通信プロトコルによって伝達してもよい。更には、ネットワーク１００内において伝達されるトラフィックは、限定を伴うことなしに、フレーム、パケット、又は非構造化ビットストリーム内において構造化されたものを含む任意の適切な方式によって構造化してもよい。例えば、トラフィックは、ＯＴＵ（Ｏｐｔｉｃａｌ  ｃｈａｎｎｅｌ  Ｔｒａｎｓｐｏｒｔ  Ｕｎｉｔ）フレームと呼ばれるデータパケット又はフレーム内において送信してもよい。ＯＴＵフレームは、ＯＤＵ（Ｏｐｔｉｃａｌ  ｃｈａｎｎｅｌ  Ｄａｔａ  Ｕｎｉｔ）信号を含んでもよい。
【００１７】
いくつかの実施形態においては、ネットワーク１００は、管理又は制御プレーンと、搬送プレーンと、を含んでもよい。管理プレーンは、一般に、ネットワークの管理のために使用してもよい、搬送プレーンは、一般に、ネットワークを通じたトラフィックの送信のために使用してもよい。但し、搬送プレーンをなんらかの管理情報を送信するために使用してもよく、且つ、管理プレーンをなんらかのトラフィックを送信するように使用してもよい。管理プレーン上における送信は、ネットワークコントローラ（明示的に図示されてはいない）によって管理及び／又は制御してもよい。
【００１８】
図２は、本開示の一実施形態による例示用の光ノード１０２の図である。ノード１０２は、クライアントインターフェイスカード２１０と、クロスコネクトスイッチ２２０と、ユニバーサルトランシーバ２３０と、スイッチングモジュール２４０と、ノードコントローラ２５０と、を含んでもよい。
【００１９】
クライアントインターフェイスカード２１０は、例えば、対応するクライアントシステムと光ノード１０２の間の通信を促進するように構成されたネットワークインターフェイスカードであってもよい。別の例として、クライアントインターフェイスカード２１０は、クライアントシステムとノード１０２の間の通信を促進するように構成されたハードウェア、ソフトウェア、ファームウェア、又はこれらのなんらかの組合せであってもよい。クライアントシステムは、パーソナルコンピュータ（例えば、デスクトップ又はラップトップ）、タブレットコンピュータ、モバイル装置（例えば、ＰＤＡ（Ｐｅｒｓｏｎａｌ  Ｄｉｇｉｔａｌ  Ａｓｓｉｓｔａｎｔ）又はスマートフォン）、サーバー（例えば、ブレードサーバー又はラックサーバー）、ネットワークストレージ装置、プリンタ、ルーター、スイッチ、又は任意のその他の適切な装置であってもよい。
【００２０】
クライアントインターフェイスカード２１０は、クロスコネクトスイッチ２２０に通信自在に結合してもよく、クロスコネクトスイッチ２２０は、クライアントインターフェイスカード２１０からユニバーサルトランシーバ２３０までのデータの送信を促進するように構成された電気的又は光学的なスイッチであってもよい。スイッチングモジュール２４０は、ユニバーサルトランシーバ２３０から受信された光信号を遮断、通過、又はリダイレクトするように構成されたハードウェア、ソフトウェア、又はこれらのなんらかの組合せであってもよい。例えば、いくつかの実施形態においては、スイッチングモジュール２４０は、ユニバーサルトランシーバ２３０から受信された信号を光学的にスイッチングするＲＯＡＤＭ（Ｒｅｃｏｎｆｉｇｕｒａｂｌｅ  Ｏｐｔｉｃａｌ  Ａｄｄ−Ｄｒｏｐ  Ｍｕｌｔｉｐｌｅｘｅｒ）であってもよい。
【００２１】
ユニバーサルトランシーバ２３０（ユニバーサルラインカードとも呼ばれる）は、クロスコネクトスイッチ２２０とスイッチングモジュール２４０の間において通信自在に結合してもよい。それぞれのユニバーサルトランシーバ２３０は、特定のデータ送信容量を有するように構成してもよい。例えば、図２に示されている実施形態においては、それぞれのユニバーサルトランシーバ２３０は、１００Ｇｂｐｓの帯域幅を有してもよく、従って、それぞれのユニバーサルトランシーバ２３０は、最大で１００Ｇｂｐｓのデータを同時に送信するように動作可能であってもよい。ユニバーサルトランシーバ２３０は、それぞれのユニバーサルトランシーバ２３０のデータ送信容量を最高で最大容量まで増大させるように再構成してもよい。
【００２２】
ネットワークコントローラ２５０は、ノード１０２との間の送信を管理及び／又は制御するように構成された任意のシステム、装置、又は機器であってもよい。例えば、コントローラ２５０は、ノード１０２との間におけるデータ送信を管理及び／又は制御するための命令及び／又はその他の信号を発行するように構成してもよい。コントローラ２５０は、マイクロプロセッサ、マイクロコントローラ、ＤＳＰ、ＡＳＩＣ、ＦＰＧＡ（Ｆｉｅｌｄ  Ｐｒｏｇｒａｍｍａｂｌｅ  Ｇａｔｅ  Ａｒｒａｙ）、ＥＥＰＲＯＭ、又はこれらの任意の組合せを含んでもよい。図２に示されているように、コントローラ２５０は、クロスコネクトスイッチ２２０及びスイッチングモジュール２４０に通信自在に結合してもよい。
【００２３】
ノード１０２は、クライアントインターフェイスカード２１０によって受信されたデータをクロスコネクトスイッチ２２０、１つ又は複数のユニバーサルトランシーバ２３０、及びスイッチングモジュール２４０を通じて送信するように構成してもよい。いくつかの実施形態においては、コントローラ２５０は、特定のクライアントインターフェイスカード２１０によってクライアントシステムから受信されたデータの送信のために特定のユニバーサルトランシーバ２３０を提供してもよい。このユニバーサルトランシーバ２３０の提供に基づいて、コントローラ２５０は、特定のクライアントインターフェイスカード２１０からのデータ送信を送付するべきユニバーサルトランシーバ２３０に関する命令をクロスコネクトスイッチ２２０に発行してもよい。同様に、いくつかの実施形態においては、コントローラ２５０は、異なるノードから受信されたデータの送信のために特定のユニバーサルトランシーバ２３０を提供してもよい。例えば、コントローラ２５０は、光通信ネットワーク１００のその他のノードのコントローラ及び／又は光通信ネットワーク１００のネットワークコントローラ（図１との関連において上述したもの）に通信自在に結合してもよい。到来するデータ送信の特性に基づいて、コントローラ２５０は、特定のクライアントインターフェイスカード２１０に対するデータ送信を送付するべきユニバーサルトランシーバ２３０に関する命令をスイッチングモジュール２４０に発行してもよい。
【００２４】
上述のように、いくつかの光通信ネットワークにおいては、光回線は、固定容量を有するように提供してもよい。それぞれの光回線の容量が固定されている場合には、それぞれの回線は、ピーク帯域幅が常に使用されるわけではないにも拘わらず、その回線の予想ピーク帯域幅に基づいてサイズ設定しなければならない。例えば、４００Ｇｂｐｓのピークデータ送信レートを有するクライアントシステムを考えてみよう。このようなクライアントシステムのピークデータ送信レートに対応するためには、それぞれが１００Ｇｂｐｓの帯域幅を有する４つのユニバーサルトランシーバ２３０を提供しなければならない。ユニバーサルトランシーバ２３０が、特定のクライアントシステムからの、且つ、従って、特定のクライアントインターフェイスカード２１０からの、データ送信のために提供されている際には、それらのユニバーサルトランシーバ２３０は、その他のクライアントシステムからのデータを送信するために使用されないであろう。
【００２５】
但し、本開示の教示内容によれば、帯域幅が、ピークデータ送信レート（例えば、データがクライアントシステムによって送信される最大レート）ではなく、ベースデータ送信レート（例えば、データが定常的にクライアントシステムによって送信されるレート）に基づいて、それぞれのクライアントインターフェイスカード２１０に対して、且つ、従って、それぞれのクライアントシステムに対して、割り当てられるように、ノード１０２を構成してもよい。例えば、対応するクライアントシステムのベースデータ送信レートに対応するために、１つ又は複数のユニバーサルトランシーバ２３０をそれぞれのクライアントインターフェイスカード２１０に対して提供してもよい。対応するクライアントシステムのベースデータ送信レートを上回るデータ送信に対応するために、残りのユニバーサルトランシーバ２３０をクライアントインターフェイスカード２１０の間において共有してもよい。特定のクライアントシステムのベースデータ送信レートがそのデータ送信レートを超過した場合には、その対応するクライアントインターフェイスカード２１０に共有ユニバーサルトランシーバ２３０を一時的に割り当てることにより、追加の帯域幅を提供してもよい。
【００２６】
例えば、クライアントインターフェイスカード２１０Ａに対応するクライアントシステムが１００Ｇｂｐｓのベースデータ送信レートと、４００Ｇｂｐｓのピークデータ送信レートと、を有し、クライアントインターフェイスカード２１０Ｂに対応するクライアントシステムが、１００Ｇｂｐｓのベースデータ送信レートと、３００Ｇｂｐｓのピークデータ送信レートと、を有し、且つ、クライアントインターフェイスカード２１０Ｃに対応するクライアントシステムが、１００Ｇｂｐｓのベースデータ送信レートと、２００Ｇｂｐｓのピークデータ送信レートと、を有しているとしよう。それぞれのユニバーサルトランシーバ２３０は、１００Ｇｂｐｓの帯域幅を有してもよい。単一のユニバーサルトランシーバ２３０Ａを提供し、クライアントインターフェイスカード２１０Ａ上におけるトラフィックの１００Ｇｂｐｓのベースデータ送信レートに対応してもよい。同様に、ユニバーサルトランシーバ２３０Ｂ及び２３０Ｅを提供し、それぞれ、クライアントインターフェイスカード２１０Ｂ及び２１０Ｃ上におけるトラフィックの１００Ｇｂｐｓのベースデータ送信レートに対応してもよい。
【００２７】
特定のクライアントインターフェイスカード２１０上におけるトラフィックのデータ送信レートがベースデータ送信レートを超過した場合には、コントローラ２５０は、その特定のクライアントインターフェイスカード２１０に対して共有ユニバーサルトランシーバ２３０を一時的に割り当ててもよい。例えば、図２に示されているように、クライアントインターフェイスカード２１０Ａのデータ送信レートがその１００Ｇｂｐｓのベースデータ送信レートを超過した場合には、ユニバーサルトランシーバ２３０Ｃ、２３０Ｄ、及び／又は２３０Ｆをクライアントインターフェイスカード２１０Ａに対して一時的に割り当ててもよい。但し、ユニバーサルトランシーバ２３０Ｃ、２３０Ｄ、及び２３０Ｆは、クライアントインターフェイスカード２１０Ａに対してまだ提供されてはいないため、これらは、クライアントインターフェイスカード２１０Ｂ及び／又は２１０Ｃのデータ送信レートがベースデータ送信レートを超過した場合に、クライアントインターフェイスカード２１０Ｂ及び／又は２１０Ｃに対して一時的に割り当ててもよい。クライアントインターフェイスカード２１０Ａのデータ送信レートがそのベースデータ送信レート以下のレベルに戻ったら、ユニバーサルトランシーバ２３０Ｃ、２３０Ｄ、及び／又は２３０Ｆを解放してもよく、且つ、必要に応じて、残りのクライアントインターフェイスカード２１０による使用のために利用可能な状態としてもよい。
【００２８】
クライアントインターフェイスカード２１０が、それぞれのクライアントインターフェイスカード２１０のベースデータ送信レートを超過するデータ送信のために、ユニバーサルトランシーバ２３０を共有できるようにすることにより、ノード１０２の統計的容量が増大することになろう。例えば、図２に示されているように、ノード１０２は、それぞれが１００Ｇｂｐｓの帯域幅を有する６つのユニバーサルトランシーバ２３０を含んでおり、これにより、合計で６００Ｇｂｐｓの帯域幅を提供している。それぞれのクライアントインターフェイスカード２１０に対応するクライアントシステムのピークデータ送信レートに対応するのに十分な帯域幅を提供する必要がある場合には、ノード１０２は、６００Ｇｂｐｓの容量しか有することにならず、且つ、従って、９００Ｇｂｐｓという組み合わせられたピークデータ送信レートを有するクライアントインターフェイスカード２１０Ａ、２１０Ｂ、及び２１０Ｃに対応するクライアントシステムからのトラフィックに対応するための容量を欠くことになろう。一方、ユニバーサルトランシーバ２３０をクライアントインターフェイスカード２１０の間において共有し、クライアントインターフェイスカード２１０に対応するクライアントシステムのベースデータ送信レートを上回るデータ送信に対応してもよい場合には、ノード１０２の統計的容量は、９００Ｇｂｐｓに増大し、これにより、ノード１０２は、クライアントインターフェイスカード２１０Ａ、２１０Ｂ、及び２１０Ｃに対応するクライアントシステムからのトラフィックに対応することができることになる。
【００２９】
図２に示されているクライアントインターフェイスカード２１０は、１００Ｇｂｐｓのベースデータ送信レートを有するクライアントシステムに対応しているが、クライアントシステムのベースデータ送信レートは、１００Ｇｂｐｓを上回ってもよい。更には、ユニバーサルトランシーバ２３０は、１００Ｇｂｐｓの帯域幅を有するものとして示されているが、ユニバーサルトランシーバ２３０は、１００Ｇｂｐｓを上回る帯域幅を有してもよい。更には、図２は、２つのクライアントインターフェイスカード２１０によって共有されるユニバーサルトランシーバ２３０を示しているが（例えば、ユニバーサルトランシーバ２３０Ｆは、クライアントインターフェイスカード２１０Ａ及び２１０Ｃによって共有される）、ユニバーサルトランシーバ２３０は、２つを上回る数のクライアントインターフェイスカード２１０の間において共有されてもよい。ユニバーサルトランシーバ２３０が２つを上回る数のクライアントインターフェイスカード２１０の間において共有される場合には、ノード１０２の統計的容量が更に増大することになろう。
【００３０】
ノードの統計的容量の増大に伴って、ノードの帯域幅要件が減少することになろう。例えば、クライアントインターフェイスカードがユニバーサルトランシーバを共有してもよいように構成されたノードの帯域幅要件は、それぞれのクライアントインターフェイスカードに対応するクライアントシステムのピークデータ送信レートに対応するのに十分な帯域幅を提供するように構成されたノードの帯域幅要件を下回ることになる。図３Ａは、それぞれのクライアントインターフェイスカードに対応するクライアントシステムのピークデータ送信レートに対応するのに十分な帯域幅を提供するように構成されたノードの帯域幅要件を示している。それぞれのブロック３１０は、特定のクライアントインターフェイスカードに対応するクライアントシステムのピーク送信レートに対応するのに必要な帯域幅を表してもよい。この例においては、それぞれのブロック３１０は、それぞれのクライアントインターフェイスカードに対応するクライアントシステムの４００Ｇｂｐｓのピークデータ送信レートに対応するのに必要な帯域幅の４００Ｇｂｐｓを表すようにサイズ設定されている。それぞれのクライアントシステムのピーク送信レートに対応するには、ノードは、３２００Ｇｂｐｓの容量を有していなければならない。
【００３１】
但し、クライアントシステムの大部分は、そのピークデータ送信レートにおいて動作することにはならず、その代わりに、そのベースデータ送信レートとピークデータ送信レートの間のデータ送信レートにおいて動作する。例えば、それぞれのブロック３１０内のシェーディングが施されたバーは、それぞれのクライアントインターフェイスカードに対応するクライアントシステムの実際のデータ送信レートに対応するのに必要な帯域幅を表してもよい。塗り潰されたバー３２０は、それぞれのクライアントインターフェイスカードに対応するクライアントシステムの１００Ｇｂｐｓのベースデータ送信レートに対応するのに必要な１００Ｇｂｐｓの帯域幅を表してもよく、それぞれのクロスハッチングが施されたバー３３０は、それぞれのクライアントインターフェイスカードに対応するクライアントシステムのベースデータ送信レートを上回るデータ送信に対応するのに必要な１００Ｇｂｐｓの追加の帯域幅を表してもよい。
【００３２】
クライアントインターフェイスカードが、それぞれのクライアントインターフェイスカードに対応するクライアントシステムのベースデータ送信レートを超過するデータ送信のためにユニバーサルトランシーバを共有してもよいように、ネットワークが構成されている場合には、ノードの帯域幅要件が低減されることになろう。クライアントインターフェイスカードがユニバーサルトランシーバを共有している場合には、ノードは、それぞれのクライアントシステムのベースデータ送信レートと、クライアントシステムの一部のみのピークデータ送信レートと、に対応するのに十分な帯域幅を提供してもよい。従って、ユニバーサルトランシーバが共有されている場合には、クライアントシステムの一部のみが、そのピークデータ送信レートにおいて同時に送信するように許容されている。
【００３３】
図３Ｂは、それぞれのクライアントインターフェイスカードに対応するクライアントシステムのベースデータ送信レートを超過するデータ送信のためにユニバーサルトランシーバを共有してもよいようにクライアントインターフェイスカードが構成されているノードの帯域幅要件を示している。このように構成されたノードの帯域幅要件を判定するには、そのピークデータ送信レートにおいて同時に送信するように許容されているクライアントシステムの数（Ｎ）を識別する必要があろう。光通信ネットワーク内のすべてのクライアントシステムがそのベースデータ送信レートにおいて稼働すると仮定するのは、余りに楽観的に過ぎるし、すべてのクライアントシステムがそのピークデータ送信レートにおいて稼働すると仮定するのは、余りに悲観的に過ぎよう。その代わりに、データトラフィックが可変であると仮定してもよい（例えば、いくつかのクライアントシステムがそのピークデータ送信レートにおいて稼働している際に、その他のクライアントシステムは、そのベースデータ送信レートにおいて稼働している）。
【００３４】
例えば、図３Ａ及び図３Ｂに示されているノードに対応する８つのクライアントシステムのうちの４つのみが、その４００Ｇｂｐｓのピークデータ送信レートにおいて同時に送信するように許容されており（例えば、Ｎ＝４）、残りのクライアントシステムは、その１００Ｇｂｐｓのベースデータ送信レートにおいて動作するとしよう。それぞれのブロック３１０は、特定のクライアントインターフェイスカードに対応するクライアントシステムに対応するのに必要とされる帯域幅を表してもよい。そのピークデータ送信レートにおいて同時に送信することが許容されているのは、ノードに対応する８つのクライアントシステムのうちの４つのみであるため、ブロック３１０Ａ、３１０Ｃ、３１０Ｅ、及び３１０Ｈのみが、対応するクライアントシステムの４００Ｇｂｐｓのピークデータ送信レートに対応するのに必要な帯域幅の４００Ｇｂｐｓを表すようにサイズ設定されている。残りのブロック３１０Ｂ、３１０Ｄ、３１０Ｆ、及び３１０Ｇは、対応するクライアントシステムの１００Ｇｂｐｓのベースデータ送信レートを表すようにサイズ設定されている。このように構成されたノードは、２０００Ｇｂｐｓの帯域幅要件を有してもよい。
【００３５】
従って、図３Ａと図３Ｂを比較することによって示されているように、ノードに対応するクライアントシステムの一部がそのピークデータ送信レートにおいて同時に送信することを許容するように構成されているノードは、それぞれのクライアントシステムのピークデータ送信レートに対応するのに十分な帯域幅を提供するように構成されたノードの帯域幅要件よりも小さな帯域幅要件を有してもよい。例えば、図３Ａに示されているノードは、３２００Ｇｂｐｓの帯域幅要件を有してもよく、図３Ｂに示されているノードは、２０００Ｇｂｐｓの帯域幅を有してもよい。
【００３６】
図３Ａ及び図３Ｂとの関連において説明した例示用のクライアントシステムは、それぞれ、１００Ｇｂｐｓのベースデータ送信レートを有するが、クライアントシステムのベースデータ送信レートは、１００Ｇｂｐｓを上回ってもよい。更には、ベース及びピークデータ送信レートは、クライアントシステム間において変化してもよい。例えば、図２との関連において説明したように、クライアントインターフェイスカード２１０Ａに対応するクライアントシステムは、４００Ｇｂｐｓのピークデータ送信レートを有しており、クライアントインターフェイスカード２１０Ｂに対応するクライアントシステムは、３００Ｇｂｐｓのピークデータ送信レートを有する。
【００３７】
更には、図３Ｂとの関連において説明した例示用のノードは、ノードに対応する８つのクライアントシステムのうちの４つが、そのピークデータ送信レートにおいて同時に送信することを許容するように構成されていたが、そのピークデータ送信レートにおいて同時に送信するように許容されるクライアントシステムの数及び割合は、変化してもよい。そのピークデータ送信レートにおいて同時に送信するように許容されているクライアントシステムの割合が大きいほど、光通信ネットワークの帯域幅要件は、大きくなり、且つ、従って、統計的容量利得は、小さくなる。そのピークデータ送信レートにおいて同時に送信するように許容されているクライアントシステムの割合が小さいほど、光通信ネットワークの帯域幅要件は、小さくなり、且つ、従って、統計的容量利得は、大きくなる。
【００３８】
そのピークデータ送信レートにおいて動作するように許容されている特定のノードに対応するクライアントシステムの数（Ｎ）は、ノード及び／又は光通信ネットワークの検討に基づいて、システム管理者又はシステム設計者が選択してもよい。例えば、そのピークデータ送信レートにおいて同時に送信するように許容されているクライアントシステムの割合の増大に伴って、ノード及び／又はネットワークの性能が低下することになろう（例えば、クライアントシステムは、そのベースデータ送信レートを上回るデータ送信レートにおいて動作するように試みた際に、遮断されることになろう）。
【００３９】
図４は、光通信ネットワーク内における統計的共有の例示用の方法４００のフローチャートである。図２との関連において上述したように、いくつかの光通信ネットワークは、ピーク帯域幅が常に使用されるわけではないにも拘わらず、それぞれの光回線に提供される帯域幅が、それぞれの回線に対応するクライアントシステムの予想ピーク帯域幅に基づいたものになるように構成されている。統計的容量を増大させると共に／又は、必要とされる帯域幅を低減するために、クライアントインターフェイスカードは、それぞれの対応するクライアントシステムのベースデータ送信レートを超過するデータ送信のためにユニバーサルトランシーバを共有してもよい。図３Ａ及び図３Ｂとの関連において説明したように、クライアントインターフェイスカードがユニバーサルトランシーバを共有している場合には、ノードは、それぞれのクライアントインターフェイスカードに対応するクライアントシステムのベースデータ送信レートと、クライアントインターフェイスカードに対応するクライアントシステムの一部のみのピークデータ送信レートと、に対応するのに十分な帯域幅を提供してもよい。
【００４０】
ステップ４１０において、それぞれのクライアントシステムのピークデータ送信レート及びベースデータ送信レートを判定してもよい。図２との関連において上述したように、ベースデータ送信レートは、データが定常的にクライアントシステムによって送信されるレートであってもよく、且つ、ピークデータ送信レートは、データがクライアントシステムによって送信される最大レートであってもよい。
【００４１】
ステップ４２０において、そのピークデータ送信レートにおいて同時に送信するように許容されているクライアントシステムの数（Ｎ）を識別してもよい。図３Ｂとの関連において上述したように、そのピークデータ送信レートにおいて動作するように許容されている特定のノードに対応するクライアントシステムの数（Ｎ）は、ノード及び／又は光通信ネットワークの検討に基づいてシステム管理者又はシステム設計者が選択してもよい。例えば、そのピークデータ送信レートにおいて同時に送信するように許容されているクライアントシステムの割合が増大するのに伴って、ノード及び／又はネットワークの性能が低下することになろう（例えば、クライアントシステムは、そのベースデータ送信レートを上回るデータ送信レートにおいて稼働するように試みた際に、遮断されることになろう）。
【００４２】
ステップ４３０において、ノードの帯域幅要件を判定してもよい。図３Ｂとの関連において説明したように、ノードに対応するクライアントシステムの一部のみが、そのピークレートにおいて送信するように許容されているノードにおいては、ノードの帯域幅要件は、そのピークレートにおいて送信するように許容されているクライアントシステムの数（Ｎ）と、クライアントシステムのピーク及びベースデータ送信レートと、に基づいたものであってもよい。例えば、１００Ｇｂｐｓのベースデータ送信レート及び４００Ｇｂｐｓのピークデータ送信レートを有するクライアントシステムにそれぞれが対応している８つのクライアントインターフェイスカードを含むノードを考えてみよう。８つのクライアントシステムのうちの４つのみが、そのピークデータ送信レートにおいて同時に送信するように許容されている場合には（例えば、Ｎ＝４）、残りの４つのクライアントシステムがその１００Ｇｂｐｓのベースデータ送信レートにおいて動作している間に、ネットワークの帯域幅要件は、２０００Ｇｂｐｓに等しくなろう（４００Ｇｂｐｓのピークデータ送信レート×４＋１００Ｇｂｐｓのベースデータ送信レート×４）。
【００４３】
ピークデータ送信レートがクライアントシステム間において変化している場合には、帯域幅は、最高のピークレートを有するＮ個のクライアントシステムのピークデータ送信レートと、残りのクライアントシステムのベースデータ送信レートと、に対応するのに十分なものでなければならない。従って、Ｎ＝４であるシステムにおいては、帯域幅は、４つの最高ピークデータ送信レートと、残りのクライアントシステムのベースデータ送信レートと、に対応するのに十分なものでなければならない。換言すれば、このようなシステムの帯域幅要件は、Ｎ個の最高ピークデータ送信レートと残りのベースデータ送信レートの合計に等しくなろう。
【００４４】
ステップ４４０において、ステップ４３０において判定された帯域幅要件に基づいて、帯域幅を提供してもよい。従って、特定のノードに提供される合計帯域幅は、ノードに対応するクライアントシステムのＮ個の最高ピークデータ送信レートの合計とノードに対応する残りのクライアントシステムのベースデータ送信レートの合計を加算したものに等しくなろう。
【００４５】
本明細書に記述されているすべての例及び条件に関する文言は、当技術分野の発展に対して本発明者が貢献する本発明及び概念に関する読者の理解を促進するための教育的な目的のためであり、且つ、そのような具体的に記述されている例及び条件に対する限定を伴うことなしに、解釈することを要する。本発明の１つ又は複数の実施形態について詳細に説明したが、これらに対しては、本発明の精神及び範囲を逸脱することなしに、様々な変更、置換、及び修正を実施することができることを理解されたい。
【図１】
2014078933.tif 000003
【図２】
2014078933.tif 000004
【図４】
2014078933.tif 000005
【図３Ａ】
2014078933.tif 000006
【図３Ｂ】
2014078933.tif 000007